(57)【要約】      （修正有）【課題】誤操作なく操作可能で、しかもグリップしたまま操作可能な操作部材を搭載した撮像装置用バッテリー装置を提供する。【解決手段】撮像装置に電源を供給するバッテリー装置であって、ダイヤル操作部材と、バッテリー装置による操作を有効あるいは無効に設定する切替操作部材２０と、切替操作部材２０上に指掛かり凸形状２０ａと、切替操作部材２０と隣接する位置に凸形状２１ａと、を有し、ダイヤル操作部材と切替操作部材２０は、撮像装置のグリップ側の側面と略同一面に配置され、ダイヤル操作部材の回転方向は、撮像装置の上下方向と略平行であり、切替操作部材２０は、撮像装置の前後方向に往復し、切替操作部材２０が、バッテリー装置による操作を有効にする位置において指掛かり凸形状２０ａと凸形状２１ａが撮像装置の上下方向と略平行な略同一直線状に配置される。【選択図】図７
2014016511.tif 000002
【特許請求の範囲】
【請求項１】
撮像装置（１）に電源を供給するバッテリー装置（１０）であって、
ダイヤル操作部材（３０）と、
前記バッテリー装置（１０）による操作を有効あるいは無効に設定する切替操作部材（２０）と、
前記切替操作部材（２０）上に指掛かり凸形状（２０ａ）と、
前記切替操作部材（２０）と隣接する位置に凸形状（２１ａ）と、
を有し、
前記ダイヤル操作部材（３０）と切替操作部材（２０）は、
撮像装置（１）のグリップ（５）側の側面と同一面に配置され、
前記ダイヤル操作部材（３０）の回転方向は、撮像装置（１）の上下方向と平行であり、
前記切替操作部材（２０）は、撮像装置（１）の前後方向に往復し、
前記切替操作部材（２０）が、前記バッテリー装置（１０）による操作を有効にする位置において前記指掛かり凸形状（２０ａ）と凸形状（２１ａ）が撮像装置（１）の上下方向と平行な同一直線状に配置されることを特徴とするバッテリー装置。
【発明の詳細な説明】
【技術分野】
【０００１】
本発明は、複数のバッテリーパックを収容可能なバッテリー装置に関し、特に、撮像装置に着脱可能に装着されて撮像装置に電源を供給するバッテリー装置の操作部材に関する。
【背景技術】
【０００２】
撮像装置では、リチウムイオン電池、ニッケル水素電池、ニッケルカドミウム電池等の二次バッテリーパックや、アルカリ電池、マンガン電池等の一次電池を複数個組み込んだ一次バッテリーパックがバッテリー電源として用いられる。また、撮像装置の長時間の使用を可能とするために、撮像装置の外付けアクセサリとして、バッテリーパックを複数個収容して撮像装置に補助電源を供給するバッテリー装置が用いられる。さらに、撮像装置用のバッテリー装置は撮像装置の底面に装着され、縦位置撮影用のグリップ形状、レリーズスイッチなどの操作部材を備えており、利便性を提供している。
【０００３】
従来より、撮像装置用のバッテリー装置は縦位置撮影時の操作部材を備えることによる不用意な誤操作を防止する為、バッテリー装置の操作部材の操作を有効あるいは無効に切り替えるスイッチ（以下、縦位置切替スイッチ）が知られている。
【０００４】
特許文献１には、縦位置撮影時にバッテリー装置のグリップを握った時に、親指で操作できる位置に縦位置切替スイッチを設けた構造が開示されている。
【０００５】
また、特許文献２には、照射開始スイッチと、撮像開始スイッチを持ち、照射開始スイッチと撮像開始スイッチを操作する指と略同一方向の直線上に、照射開始スイッチと前記撮像開始スイッチが配置される構造が開示されている。
【先行技術文献】
【特許文献】
【０００６】
【特許文献１】特開２００９−１７０２３６号公報
【特許文献２】特開２００７−１７４２０３号公報
【発明の概要】
【発明が解決しようとする課題】
【０００７】
特許文献１にて開示されたバッテリー装置では、縦位置撮影時にグリップを握ったまま親指で縦位置切替スイッチを操作できるため、撮像装置のファインダーを覗きながら、グリップを握りなおすことなく縦位置切替スイッチの操作が可能である。
【０００８】
しかしながら、近年、撮像装置の機能の増加や、より快適な操作性が求められており、親指で操作出来る位置には、より撮影に直結する操作部材が配置されることが望ましく、縦位置切替スイッチを他の場所に移動させる必要がある。
【０００９】
特許文献２にて開示された撮像装置では、グリップした手の指１本のみで、撮像開始スイッチと照射開始スイッチを操作可能だが、照射開始スイッチ操作時に誤って撮像開始スイッチを操作してしまう懸念は残る。
【００１０】
そこで、本発明の目的は、誤操作なく、しかもグリップしたまま操作可能な操作部材を搭載した撮像装置用バッテリー装置を提供することである。
【課題を解決するための手段】
【００１１】
上記目的を達成するために、本発明は、
ダイヤル操作部材（３０）と、
前記バッテリー装置（１０）による操作を有効あるいは無効に設定する切替操作部材（２０）と、
前記切替操作部材（２０）上に指掛かり凸形状（２０ａ）と、
前記切替操作部材（２０）と隣接する位置に凸形状（２１ａ）と、
を有し、
前記ダイヤル操作部材（３０）と切替操作部材（２０）は、
撮像装置（１）のグリップ（５）側の側面と略同一面に配置され、
前記ダイヤル操作部材（３０）の回転方向は、撮像装置（１）の上下方向と略平行であり、
前記切替操作部材（２０）は、撮像装置（１）の前後方向に往復し、
前記切替操作部材（２０）が、前記バッテリー装置（１０）による操作を有効にする位置において前記指掛かり凸形状（２０ａ）と凸形状（２１ａ）が撮像装置（１）の上下方向と略平行な略同一直線状に配置されることを特徴とする。
【発明の効果】
【００１２】
本発明によれば誤操作なく、しかもグリップしたまま操作可能な操作部材を搭載した撮像装置用バッテリー装置を提供することができる。
【図面の簡単な説明】
【００１３】
【図１】バッテリー装置を装着した撮像装置の背面斜視図である。
【図２】バッテリー装置を装着した撮像装置の縦位置正面図である。
【図３】バッテリー装置の背面斜視図である。
【図４】バッテリー装置を装着したカメラの側面図である。
【図５】縦位置切替スイッチユニットの組み付け方法を示す図である。
【図６】縦位置切替スイッチユニットの分解斜視図である。
【図７】縦位置切替スイッチユニットの断面図である。
【発明を実施するための形態】
【００１４】
以下に、本発明の好ましい実施の形態を、添付の図面に基づいて詳細に説明する。図１は、本発明の実施形態に関わるバッテリー装置１０が撮像装置１に装着された状態の背面斜視図である。図２はバッテリー装置１０が撮像装置１に装着され、縦位置撮影を行う状態を示す正面図である。なお交換レンズは不図示である。３はメイン電子ダイヤル、４はマルチコントローラーであり、５はグリップ、６はレリーズスイッチである。バッテリー装置１０はバッテリー装置としてだけではなく、縦位置撮影時のグリップの役割を持つため、撮影に必要な主要操作部材を備えている。３０は縦位置用メイン電子ダイヤル、４０は縦位置用マルチコントローラー、５０は縦位置用グリップ、６０は縦位置用レリーズスイッチである。２０はこれらの操作部材の操作を有効あるいは無効に設定するための縦位置用切り替えスイッチである。本実施形態では、撮像装置１のグリップ側の側面に配置している。縦位置用切替スイッチ２０の役割は、持ち運び時や正位置での撮影時の不用意な誤操作を防止することである。図３はバッテリー装置１０のみを示した背面斜視図である。７０は、バッテリー装置１０から撮像装置１へ電源および各種信号を供給するコネクタ部である。なお、バッテリー装置１０は縦位置用切替スイッチ２０が有効に設定されているか否かに関わらず撮像装置１０に電源を供給する。
【００１５】
図４（ａ）はバッテリー装置１０が撮像装置１に装着された状態のグリップ側の側面図であり、図４（ｂ）および図４（ｃ）は縦位置切替スイッチ２０周辺部の詳細図である。１１はバッテリー装置の前カバー、１２はバッテリー装置の後カバーである。縦位置用切替スイッチ２０は撮像装置１の光軸方向にスライドするスイッチである。図４（ｂ）において、操作時に指かけとなる凸形状２０ａが後カバー１２に印刷されているＯＦＦ表示２２ｂ寄りであれば、バッテリー装置１０の操作部材は無効であることを示す。同様に、図４（ｃ）のように指掛け凸形状２０ａが前カバー１１に印刷されているＯＮ表示２２ａ寄りであれば、バッテリー装置１０の操作部材が有効であることを示す。
【００１６】
次に図５、６、７を用いて縦位置用切替スイッチ２０の構成について詳細に説明する。図５（ａ）は縦位置切替スイッチユニット２００を示し、図５（ｂ）は、縦位置切替スイッチユニット２００の組み付け方法を示す。縦位置切替スイッチユニット２００は縦位置切替スイッチ２０の位置を検知するフレキ２３０、縦位置切替スイッチベース２１等で構成され、詳細は後述する。縦位置切替スイッチユニット２００は図５（ｂ）に示すように、ビス２１０ａ、２１０ｂ、２１０ｃ、２１０ｄによって後カバー１２に締結される。
【００１７】
図６（ａ）は縦位置切替スイッチユニット２００の分解斜視図である。図６（ｂ）はわかりやすさの為に図６（ａ）に対して異なる角度で示したものである。組み付け順に説明する。まず、縦位置切替スイッチ位置検知フレキ（以下、位置検知フレキ）２３０を縦位置切替スイッチベース２１に軽圧入によって組み付け、仮保持しておく。この状態で縦位置切替スイッチ２０の凸部２０ｂを外観側から縦位置切替スイッチベース２１の開口部２１ｂに挿入する。次に縦位置切替スイッチ位置検知接片２４０、縦位置切替スイッチクリックバネ２５０を順に縦位置切替スイッチ２０の凸部２０ｂに組み、ビス２６０によって締結する。続いて、各部品が取りついた縦位置切替スイッチベース２１を、縦位置切替スイッチベース保持部材２７０にビス２２０ａ、２２０ｂによって締結することで縦位置切替スイッチユニット２００が完成する。
【００１８】
図７（ａ）は図４（ｃ）のＡ−Ａ線に沿う断面図、図７（ｂ）は同じく図４（ｃ）にＢ−Ｂ線に沿う断面図である。図４（ｂ）、図４（ｃ）、および図７（ａ）、図７（ｂ）に示す２１ａは縦位置切替スイッチベース２１に設けられ、図７（ｂ）に示すように周囲に対して段差を設けた凸形状である。凸形状２１ａは縦位置操作が有効な状態、即ち縦位置切替スイッチ２０が図４（ｃ）の位置にあるとき、縦位置切替スイッチの指掛け凸形状２０ａと、撮像装置１の上下方向において同一直線状に並ぶ位置関係となる。よって、撮影者はファインダーを覗いた状態にあっても、凸形状２１ａと縦位置切替スイッチの指掛け凸形状２０ａが同一直線状に並んでいることから縦位置操作が有効であると判断できる。
【００１９】
一方、縦位置操作が無効な状態、即ち縦位置切替スイッチ２０が図４（ｂ）の位置にあるときは指掛け凸形状２０ａと、縦位置切替スイッチベースの凸形状２１ａは撮像装置の光軸方向において一定距離離れた関係となる。よって撮影者は凸形状２１ａと縦位置切替スイッチの指掛け凸形状２０ａが同一直線状に並んでいないことから縦位置操作が無効であると判断できる。
【００２０】
また、縦位置切替スイッチ２０は図７（ｂ）に示すように縦位置切替スイッチクリックバネ２５０によってクリックを伴ったスライド動作が行われる構成となっている。クリックは縦位置切替スイッチクリックバネ２５０の先端部のＵ字凸部２５０ａが、縦位置切替スイッチベース２１の凸部２１ｂを乗り越えることによって発生する。このクリック構成により縦位置切替スイッチ２０は、縦位置操作が有効、あるいは無効な位置に安定する。
【００２１】
ところで、撮像装置１のメイン電子ダイヤル３、レリーズスイッチ６、およびバッテリー装置１０の縦位置メイン電子ダイヤル３０、縦位置レリーズスイッチ６０は、いずれも撮影者がグリップ５あるいは５０を握った時に、人差し指で操作する部材である。特に、縦位置メイン電子ダイヤル３０は、撮影者が縦位置用グリップ５０を握った時にダイヤル回転操作が容易に行えるよう、図４（ａ）に示すように撮像装置１の上下方向と略平行に回転操作する配置としている。縦位置メイン電子ダイヤル３０近傍に配置されるスライド操作部材としては、前述した縦位置切替スイッチ２０があるが、このスライド方向は撮像装置１の光軸方向としている。このため、縦位置メイン電子ダイヤル３０とは操作方向が略直角となる。このことにより、メイン電子ダイヤル３０と近しい関係にありながらも、操作方向が略直交していることから、メイン電子ダイヤル３０を操作しながらの、縦位置切替スイッチ２０の誤操作を防止することが出来る。また、誤操作をしながらも縦位置切替スイッチ２０は撮影者の人差し指が届く範囲に配置しているので、縦位置用グリップ５０を握りなおすことなく操作可能である。
【００２２】
また、縦位置切替スイッチベース２０に凸形状２０aを設けているため、撮影者が縦位置撮影時にファインダーを覗きながら、縦位置切替スイッチ２０が有効か無効かを人差し指の触感によって判断が可能となるだけでなく、切り替え操作も可能である。
【００２３】
本実施例において、縦位置切替スイッチ２０は前カバー１１と後カバー１２の間に配置したが、操作のしやすさの為に、より被写体側に近づけても良い。縦位置切替スイッチベース２１に設けた凸形状２１ａは、特に縦位置切替スイッチベース２１に限らず、前カバー１１に設けても良い。また、本実施例におけるバッテリー装置１０は縦位置操作用グリップとしても使用可能であることは前述したとおりである。従って、バッテリーパックを装填しない、縦位置操作用グリップとしても同様の効果を得ることが出来る。
【００２４】
以上、本発明の好ましい実施形態について説明したが、本発明はこれらの実施形態に限定されず、その要旨の範囲内で種々の変形及び変更が可能である。
【符号の説明】
【００２５】
１      撮像装置
５      グリップ
１０    バッテリー装置
２０    縦位置切替スイッチ
２０ａ  縦位置切替スイッチ指掛かり部
２１ａ  凸形状
３０    縦位置メイン電子ダイヤル
【図１】
2014016511.tif 000003
【図２】
2014016511.tif 000004
【図３】
2014016511.tif 000005
【図４】
2014016511.tif 000006
【図５】
2014016511.tif 000007
【図６】
2014016511.tif 000008
【図７】
2014016511.tif 000009